(57)【要約】【課題】カード再発行時点の残額を反映したＩＣカードの再発行を行う。【解決手段】この料金収受システムの非接触ＩＣカード再発行機１５は、非接触ＩＣカードを再発行する場合、センタコンピュータ１１で管理している残額を読み出して再発行するＩＣカード再発行機１５において、再発行元となるＩＣカードのユニークなカード発行情報が入力される操作表示部５４と、入力されたカード発行情報とこのカード発行情報が入力された時点の時間情報が含まれた再発行要求データ６１をセンタコンピュータ１１へ送信する伝送制御部５５と、再発行要求データ６１の応答としてセンタコンピュータ１１から受信した再発行カード情報と元カードのカード発行情報とを含む再発行情報データ６２と、「再発行中」のカード状態情報とを新カードに記憶するＣＰＵ５１とを備える。【選択図】      図５
2004355132.tif 000002
【特許請求の範囲】
【請求項１】
ＩＣカードの残額を管理するセンタコンピュータに接続され、ＩＣカードを再発行する場合、前記センタコンピュータで管理している残額を読み出してＩＣカードを再発行するＩＣカード再発行機において、
再発行元となるＩＣカードのユニークなカード発行情報が入力される入力手段と、
前記入力手段から入力されたカード発行情報とこのカード発行情報が入力された時点の時間情報が含まれた再発行要求データを前記センタコンピュータへ送信する送信手段と、
前記再発行要求データの応答として前記センタコンピュータから受信した再発行カード情報と前記再発行元のＩＣカードのカード発行情報とを含む再発行情報データと、再発行中を示すカード状態情報とを新たなＩＣカードに記憶する制御手段と
を具備したことを特徴とするＩＣカード再発行機。
【請求項２】
残額を積み増し可能なＩＣカードの残額を管理するセンタコンピュータに接続され、ＩＣカードを再発行する場合、前記センタコンピュータで管理している残額を読み出してＩＣカードを再発行するＩＣカード再発行機において、
再発行元となるＩＣカードのユニークなカード発行情報と予備残額が入力される入力手段と、
前記入力手段から入力されたカード発行情報とこのカード発行情報が入力された時点の時間情報が含まれた再発行要求データとを前記センタコンピュータへ送信する送信手段と、
前記再発行要求データの応答として前記センタコンピュータから受信した再発行カード情報と前記再発行元のＩＣカードのカード発行情報とを含む再発行情報データと、再発行中を示すカード状態情報と予備残額とを新たなＩＣカードに記憶する制御手段と
を具備したことを特徴とするＩＣカード再発行機。
【請求項３】
請求項１，２いずれか記載のＩＣカード再発行機において、
前記制御手段により新たなＩＣカードへのデータの書き込みが正常に完了した場合、前記センタコンピュータに対して再発行完了データを送信し、データの書き込みが正常に終了しなかった場合には再発行取消データを前記センタコンピュータへ送信する手段を具備したことを特徴とするＩＣカード再発行機。
【請求項４】
ＩＣカードの残額を管理するセンタコンピュータに接続され、前記ＩＣカードの残額を読み出して有料道路を利用する車両の料金を収受する料金収受機において、
前記ＩＣカードからデータを読み取るＩＣカード読取手段と、
前記ＩＣカード読取手段により読み取られたデータに含まれるカード状態情報が再発行中であった場合、前記センタコンピュータに対して再発行元のＩＣカードのカード発行情報および再発行情報データを含む残額要求データを送信する送信手段と、
この残額要求データに対して前記センタコンピュータから返信されてきた残額データを受信する受信手段と、
前記受信手段により受信された残額データを基に決済処理を行い、更新された残額と再発行済みを示すカード状態情報とをＩＣカードに書き込むと共に、前記センタコンピュータに対して残額消し込み要求データを送信する制御手段と
を具備したことを特徴とする料金収受機。
【請求項５】
請求項４記載の料金収受機において、
前記制御手段は、
前記受信手段により受信された残額データに含まれていた受信残額状態を確認する手段と、
受信残額状態を確認した結果、確定の場合、受信された受信残額と再発行時にＩＣカードに書き込まれた予備残額とを基に決済処理を行い、更新された残額と再発行済みを示すカード状態情報をＩＣカードに書き込む一方、未確定の場合、予備残額を基に決済処理を行い、引き去り後の残額を予備残額としてＩＣカードのデータを更新する手段と
を具備したことを特徴とする料金収受機。
【請求項６】
残額を積み増し可能なＩＣカードの残額を管理するデータベースを備え、前記ＩＣカードの残額を読み出して有料道路を利用する車両の料金を収受する料金収受機と、前記ＩＣカードを再発行する場合、前記データベースで管理されている残額を読み出してＩＣカードを再発行するＩＣカード再発行機とが通信回線を介して接続されたセンタコンピュータにおいて、
前記ＩＣカード再発行機から受信した再発行要求データに含まれる再発行元のＩＣカードのカード発行情報をキーにして前記データベースを検索し、該当ＩＣカードの状態を再発行中に変更すると共に、前記再発行要求データに含まれていた再発行要求時間を設定して新たなＩＣカードの情報をデータベースに登録し、登録した前記新たなＩＣカードの再発行カード情報と前記再発行元のＩＣカードのカード発行情報とを含む再発行情報データをＩＣカード再発行機へ返信する手段と、
前記ＩＣカード再発行機より再発行完了データを受信された場合、当該ＩＣカードの状態を再発行完了に変更する手段と、
前記ＩＣカード再発行機より再発行取消データが受信された場合、再発行元の当該ＩＣカードの状態を再発行要求データの受信前の状態に戻すと共に再発行状況を消去する手段と、
前記料金収受機より残額要求データが受信された場合、再発行元の当該ＩＣカードの状態が再発行完了であり、かつ再発行要求時間の締めが終了していた場合に、再発行元のＩＣカードの残額情報を含む残額データを前記料金収受機へ返信する手段と、
前記料金収受機より残額消し込み要求データが受信された場合、再発行元の当該ＩＣカードの残額情報を「０」とし、そのカード状態を残額引き渡し完了にセットする手段と
を具備したことを特徴とするセンタコンピュータ。
【請求項７】
残額を積み増し可能なＩＣカードの残額を管理するセンタコンピュータに接続されたＩＣカード再発行機が前記センタコンピュータで管理している残額を読み出してＩＣカードを再発行するＩＣカード再発行方法において、
再発行元となるＩＣカードのユニークなカード発行情報がＩＣカード再発行機に入力された場合、入力されたカード発行情報とこのカード発行情報が入力された時点の時間情報が含まれた再発行要求データを前記ＩＣカード再発行機から前記センタコンピュータへ送信するステップと、
前記再発行要求データの応答として前記センタコンピュータから前記ＩＣカード再発行機が受信した再発行カード情報と前記再発行元のＩＣカードのカード発行情報とを含む再発行情報データと、再発行中を示すカード状態情報とを新たなＩＣカードに記憶するステップと
を有することを特徴とするＩＣカード再発行方法。
【請求項８】
ＩＣカードの残額を管理するセンタコンピュータに接続された料金収受機が前記ＩＣカードの残額を読み出して有料道路を利用する車両の料金を収受する料金収受方法において、
前記ＩＣカードのデータを前記料金収受機が読み取るステップと、
前記料金収受機が読み取ったデータに含まれるカード状態情報が再発行中であった場合、前記センタコンピュータに対して再発行元のＩＣカードのカード発行情報および再発行情報データを含む残額要求データを送信するステップと、
この残額要求データに対して前記センタコンピュータから前記料金収受機に返信されてきた残額データを受信するステップと、
受信した残額データを基に前記料金収受機が決済処理を行い、更新された残額と再発行済みを示すカード状態情報とをＩＣカードに書き込むと共に、前記センタコンピュータに対して残額消し込み要求データを送信するステップと
を有することを特徴とする料金収受方法。
【発明の詳細な説明】
【０００１】
【発明の属する技術分野】
本発明は、例えばＩＣカード再発行機、料金収受機、センタコンピュータ、ＩＣカード再発行方法、料金収受方法に関する。
【０００２】
【従来の技術】
一般に、鉄道、有料道路等では、磁気記録式のプリペイドカードが利用されており、プリペイドカードを使用するたびに使用履歴がカード表面に印字され磁気データ以外に記録が残るようになっている。
近年、磁気記録式のカードに代わり、例えば非接触ＩＣカード等のＩＣ式のカードが利用可能になっている。この非接触ＩＣカードを用いた前納式決済システムの場合、残額の少なくなった非接触ＩＣカードに金額データをチャージすることで残額を増額して繰り返し使用できることからカード表面には使用履歴を印字しない仕組みになっている。
【０００３】
そうはいうものの、非接触ＩＣカードは、電子部品の集合体であり、ハードウェアの故障、その他、通信環境によってはデータの読み取り障害あるいは書き込み障害が発生することがある。
【０００４】
そこで、非接触ＩＣカードの残額を非接触ＩＣカード内部のメモリとセンタのホストコンピュータとで管理し、端末における決済自体はカード内メモリの残額で行い、端末からは決済情報をセンタのホストコンピュータへ送信し、センタのホストコンピュータで管理している残額を更新するようにし、ＩＣカードに故障や障害が発生したときにカードの再発行を行えるようにした有料道路料金収受システムが提案されている（例えば特許文献１参照）。
【０００５】
特許文献１に記載されている有料道路料金収受システムの場合、車載された非接触ＩＣカードのメモリに固有のＩＤ情報とプリペイド残額を記憶し、有料道路では、路上機が車両の非接触ＩＣカードのメモリからＩＤ情報・残額を読み出して一旦データ処理装置に送信し、データ処理装置で通行料金を残額から引き去り、引き去り後の新たな残額を路上機から非接触ＩＣカードへ送信することで減額された新残額が非接触ＩＣカードのメモリに書き込まれる。その後、データ処理装置は前述したＩＤ情報および残額等のデータを間欠的にバッチ処理でセンタコンピュータへ送信し、センタコンピュータ側でもＩＤ情報を基に個々の非接触ＩＣカードの残額を管理し、非接触ＩＣカードに異常が生じて残額を読み出せなくなった場合には、ＩＤ情報をキーにセンタコンピュータに管理されている残額を読み出すことでカードの再発行を行うことができる。
【０００６】
【特許文献１】
特許第３１６５５０５号公報（段落［００１４］）
【０００７】
【発明が解決しようとする課題】
しかしながら、従来の有料道路料金収受システムでは、非接触ＩＣカードが端末で利用された場合、データ処理装置が一旦データをバッファリングして間欠的にセンタコンピュータへ送信することから、データはリアルタイムでセンタコンピュータへ送られず、この間に、カードの再発行が必要になり残額の読み出し要求をセンタコンピュータへ依頼したとしてもセンタコンピュータに管理されている残額は未確定のため、データ処理装置からのデータが受信されそのカードの残額の更新が済むまでは、カードの再発行を行うことができなかった。
【０００８】
本発明はこのような課題を解決するためになされたもので、センタ側で管理しているＩＣカードの残額の更新が遅延した場合でも再発行要求時点の残額を正しく反映したＩＣカードの再発行を行うことができるＩＣカード再発行機、料金収受機、センタコンピュータ、ＩＣカード再発行方法、料金収受方法を提供することを目的としている。
【０００９】
【課題を解決するための手段】
上記した目的を達成するために、本発明のＩＣカード再発行機は、ＩＣカードの残額を管理するセンタコンピュータに接続され、ＩＣカードを再発行する場合、前記センタコンピュータで管理している残額を読み出してＩＣカードを再発行するＩＣカード再発行機において、再発行元となるＩＣカードのユニークなカード発行情報が入力される入力手段と、前記入力手段から入力されたカード発行情報とこのカード発行情報が入力された時点の時間情報が含まれた再発行要求データを前記センタコンピュータへ送信する送信手段と、前記再発行要求データの応答として前記センタコンピュータから受信した再発行カード情報と前記再発行元のＩＣカードのカード発行情報とを含む再発行情報データと、再発行中を示すカード状態情報とを新たなＩＣカードに記憶する制御手段とを具備したことを特徴としている。
【００１０】
本発明のＩＣカード再発行機は、残額を積み増し可能なＩＣカードの残額を管理するセンタコンピュータに接続され、ＩＣカードを再発行する場合、前記センタコンピュータで管理している残額を読み出してＩＣカードを再発行するＩＣカード再発行機において、再発行元となるＩＣカードのユニークなカード発行情報と予備残額が入力される入力手段と、前記入力手段から入力されたカード発行情報とこのカード発行情報が入力された時点の時間情報が含まれた再発行要求データとを前記センタコンピュータへ送信する送信手段と、前記再発行要求データの応答として前記センタコンピュータから受信した再発行カード情報と前記再発行元のＩＣカードのカード発行情報とを含む再発行情報データと、再発行中を示すカード状態情報と予備残額とを新たなＩＣカードに記憶する制御手段とを具備したことを特徴としている。
上記ＩＣカード再発行機において、制御手段により新たなＩＣカードへのデータの書き込みが正常に完了した場合、センタコンピュータに対して再発行完了データを送信し、データの書き込みが正常に終了しなかった場合には再発行取消データをセンタコンピュータへ送信する手段を具備している。
【００１１】
本発明の料金収受機は、ＩＣカードの残額を管理するセンタコンピュータに接続され、前記ＩＣカードの残額を読み出して有料道路を利用する車両の料金を収受する料金収受機において、前記ＩＣカードからデータを読み取るＩＣカード読取手段と、前記ＩＣカード読取手段により読み取られたデータに含まれるカード状態情報が再発行中であった場合、前記センタコンピュータに対して再発行元のＩＣカードのカード発行情報および再発行情報データを含む残額要求データを送信する送信手段と、この残額要求データに対して前記センタコンピュータから返信されてきた残額データを受信する受信手段と、前記受信手段により受信された残額データを基に決済処理を行い、更新された残額と再発行済みを示すカード状態情報とをＩＣカードに書き込むと共に、前記センタコンピュータに対して残額消し込み要求データを送信する制御手段とを具備したことを特徴としている。
上記料金収受機において、制御手段は、前記受信手段により受信された残額データに含まれていた受信残額状態を確認する手段と、受信残額状態を確認した結果、確定の場合、受信された受信残額と再発行時にＩＣカードに書き込まれた予備残額とを基に決済処理を行い、更新された残額と再発行済みを示すカード状態情報をＩＣカードに書き込む一方、未確定の場合、予備残額を基に決済処理を行い、引き去り後の残額を予備残額としてＩＣカードのデータを更新する手段とを具備している。
【００１２】
本発明のセンタコンピュータは、残額を積み増し可能なＩＣカードの残額を管理するデータベースを備え、前記ＩＣカードの残額を読み出して有料道路を利用する車両の料金を収受する料金収受機と、前記ＩＣカードを再発行する場合、前記データベースで管理されている残額を読み出してＩＣカードを再発行するＩＣカード再発行機とが通信回線を介して接続されたセンタコンピュータにおいて、前記ＩＣカード再発行機から受信した再発行要求データに含まれる再発行元のＩＣカードのカード発行情報をキーにして前記データベースを検索し、該当ＩＣカードの状態を再発行中に変更すると共に、前記再発行要求データに含まれていた再発行要求時間を設定して新たなＩＣカードの情報をデータベースに登録し、登録した前記新たなＩＣカードの再発行カード情報と前記再発行元のＩＣカードのカード発行情報とを含む再発行情報データをＩＣカード再発行機へ返信する手段と、前記ＩＣカード再発行機より再発行完了データを受信された場合、当該ＩＣカードの状態を再発行完了に変更する手段と、前記ＩＣカード再発行機より再発行取消データが受信された場合、再発行元の当該ＩＣカードの状態を再発行要求データの受信前の状態に戻すと共に再発行状況を消去する手段と、前記料金収受機より残額要求データが受信された場合、再発行元の当該ＩＣカードの状態が再発行完了であり、かつ再発行要求時間の締めが終了していた場合に、再発行元のＩＣカードの残額情報を含む残額データを前記料金収受機へ返信する手段と、前記料金収受機より残額消し込み要求データが受信された場合、再発行元の当該ＩＣカードの残額情報を「０」とし、そのカード状態を残額引き渡し完了にセットする手段とを具備したことを特徴としている。
【００１３】
本発明のＩＣカード再発行方法は、残額を積み増し可能なＩＣカードの残額を管理するセンタコンピュータに接続されたＩＣカード再発行機が前記センタコンピュータで管理している残額を読み出してＩＣカードを再発行するＩＣカード再発行方法において、再発行元となるＩＣカードのユニークなカード発行情報がＩＣカード再発行機に入力された場合、入力されたカード発行情報とこのカード発行情報が入力された時点の時間情報が含まれた再発行要求データを前記ＩＣカード再発行機から前記センタコンピュータへ送信するステップと、前記再発行要求データの応答として前記センタコンピュータから前記ＩＣカード再発行機が受信した再発行カード情報と前記再発行元のＩＣカードのカード発行情報とを含む再発行情報データと、再発行中を示すカード状態情報とを新たなＩＣカードに記憶するステップとを有することを特徴としている。
【００１４】
本発明の料金収受方法は、ＩＣカードの残額を管理するセンタコンピュータに接続された料金収受機が前記ＩＣカードの残額を読み出して有料道路を利用する車両の料金を収受する料金収受方法において、前記ＩＣカードのデータを前記料金収受機が読み取るステップと、前記料金収受機が読み取ったデータに含まれるカード状態情報が再発行中であった場合、前記センタコンピュータに対して再発行元のＩＣカードのカード発行情報および再発行情報データを含む残額要求データを送信するステップと、この残額要求データに対して前記センタコンピュータから前記料金収受機に返信されてきた残額データを受信するステップと、受信した残額データを基に前記料金収受機が決済処理を行い、更新された残額と再発行済みを示すカード状態情報とをＩＣカードに書き込むと共に、前記センタコンピュータに対して残額消し込み要求データを送信するステップとを有することを特徴としている。
【００１５】
本発明では、再発行元となるＩＣカードのユニークなカード発行情報がＩＣカード再発行機に入力された場合、入力されたカード発行情報とこのカード発行情報が入力された時点の時間情報が含まれた再発行要求データをＩＣカード再発行機からセンタコンピュータへ送信する。
センタコンピュータでは、ＩＣカード再発行機から受信した再発行要求データに含まれる再発行元のＩＣカードのカード発行情報をキーにしてデータベースを検索し、該当ＩＣカードの状態を再発行中に変更すると共に、再発行要求データに含まれていた再発行要求時間を設定して新たなＩＣカードの情報をデータベースに登録し、登録した新たなＩＣカードの再発行カード情報と再発行元のＩＣカードのカード発行情報とを含む再発行情報データをＩＣカード再発行機へ返信する。
ＩＣカード再発行機は、センタコンピュータから受信した再発行カード情報と前記再発行元のＩＣカードのカード発行情報とを含む再発行情報データと、再発行中を示すカード状態情報とを新たなＩＣカードに記憶する。なお予備残額が入力された場合はその予備残額も新たなＩＣカードに記憶する。
一方、料金収受機では、再発行されたＩＣカードのデータを読み取ると、読み取ったデータに含まれるカード状態情報が再発行中であった場合、センタコンピュータに対して再発行元のＩＣカードのカード発行情報および再発行情報データを含む残額要求データを送信する。
センタコンピュータでは、料金収受機より残額要求データが受信された場合、再発行元の当該ＩＣカードの状態が再発行完了であり、かつ再発行要求時間の締めが終了していた場合に、再発行元のＩＣカードの残額情報を含む残額データを料金収受機へ返信する。
料金収受機では、残額要求データに対してセンタコンピュータから返信されてきた残額データを受信すると、受信した残額データを基に決済処理を行い、更新された残額と再発行済みを示すカード状態情報とをＩＣカードに書き込むと共に、センタコンピュータに対して残額消し込み要求データを送信する。
センタコンピュータでは、料金収受機より残額消し込み要求データが受信された場合、再発行元の当該ＩＣカードの残額情報を「０」とし、そのカード状態情報を残額引き渡し完了にセットする。
これにより、センタ側で管理しているＩＣカードの残額の更新が遅延した場合でも再発行要求時点の残額を正しく反映したＩＣカードの再発行を行うことができる。
【００１６】
【発明の実施の形態】
以下、本発明の実施の形態を図面を参照して詳細に説明する。
図１は本発明に係る一つの実施形態の料金収受システムの全体構成を示す図である。
図１に示すように、この実施形態の料金収受システムは、センタコンピュータ１１、入口端末１２、出口端末１３、事務所端末１４、非接触ＩＣカード再発行機１５等から構成されている。入口端末１２は有料道路の入口料金所に設置されている。出口端末１３は有料道路の出口料金所に設置されている。なお出口端末１３は料金収受機あるいは料金収受端末ともいう。事務所端末１４は有料道路の各出入口の料金所の管理事務所などに設置されている。非接触ＩＣカード再発行機１５は有料道路の入口料金所、出口料金所、サービスエリア、パーキングエリア等の車両が一旦停止可能な箇所に設置されている。
【００１７】
センタコンピュータ１１は、各端末からのデータを自身のデータベースに収集し、また各端末の動作に必要なパラメータ、応答等のデータをデータベースから配信する。センタコンピュータ１１は、入口端末１２とオンラインで接続されており、入口処理に必要なパラメータ類を自身のデータベースに格納している。センタコンピュータ１１は、入口処理の際に入口端末１２から受信された要求に応じて該当パラメータをデータベースから送信する。入口端末１２にて入口処理が終了したときに入口処理トランザクションデータが送信されるので、センタコンピュータ１１は、この入口処理トランザクションデータを受信して入口処理が終了したことを判定する。センタコンピュータ１１は、出口端末１３とオンラインで接続されており、出口処理に必要なパラメータ類を自身のデータベースに格納している。センタコンピュータ１１は、出口処理の際に出口端末１３から受信された要求に応じて該当パラメータをデータベースから送信する。出口端末１３にて出口処理が終了したときに出口処理トランザクションデータが送信されるので、この出口処理トランザクションデータをセンタコンピュータ１１が受信して出口処理の終了を判定する。センタコンピュータ１１は、事務所端末１４とオンラインで接続されており、事務所処理に必要なパラメータ類をデータベースに格納している。事務所処理の際に事務所端末１４から受信されたよう要求に応じて該当パラメータをデータベースから送信する。センタコンピュータ１１は、事務所処理終了時に事務所処理トランザクションデータが事務所端末１４から送信されるので、センタコンピュータ１１はこの事務所処理トランザクションデータを受け取り事務所処理終了を判定する。センタコンピュータ１１は、非接触ＩＣカード再発行機１５とオンラインで接続されており、自身の非接触ＩＣカード管理データベースに非接触ＩＣカードの残額を登録し管理している。センタコンピュータ１１は、非接触ＩＣカード管理データベースのデータとＩＣカードの再発行に関わるデータの送受信を制御する。
すなわち、この料金収受システムは、残額を積み増し可能な非接触ＩＣカードの残額を管理するデータベースを備えたセンタコンピュータ１１と、有料道路を利用する車両の非接触ＩＣカードに対して入口情報を記憶する入口端末１２と、非接触ＩＣカードの残額および入口情報を読み出して有料道路を利用する車両の料金を収受する料金収受機としての出口端末１３と、事務所端末１４と、ＩＣカードを再発行する場合、データベースで管理されている残額を読み出してＩＣカードを再発行する非接触ＩＣカード再発行機１５とを通信回線１６を介して接続したシステムである。
【００１８】
非接触ＩＣカードは、有料道路の料金を支払うための金額データ（残額情報）とカードＩＤ（カード識別情報）を記憶した記憶手段としてのフラッシュメモリと、有料道路に設置された各端末（入口端末１２、出口端末１３、事務所端末１４、非接触ＩＣカード再発行機１５等）の非接触ＩＣカードリーダライタからの金額データ読み出し要求に従ってフラッシュメモリより金額データおよびカードＩＤ等を読み出す一方、非接触ＩＣカードリーダライタより入口情報、出口情報等を含む利用履歴、金額データ（チャージする積み増し額、予備残額等）を受信するアンテナと、このアンテナで受信された利用履歴、金額データ等のデータをフラッシュメモリ（フラッシュメモリの具体的なデータについては図８で説明）に記憶するＭＰＵ（マイクロプロセッサユニット）とを備えている。
【００１９】
入口端末１２は、有料道路の入口車線に設置され、有料道路に流入する車両に対して、入口情報を与える端末である。出口端末１３は、有料道路の出口車線に設置され、有料道路から流出する車両から料金を収受する端末であり、料金収受機とも呼ばれる。事務所端末１４は、有料道路の料金所事務所等に設置され、入口端末１２または出口端末１３でできなかった処理を行うための端末である。非接触ＩＣカード再発行機１５は、非接触ＩＣカードの再発行を行う端末である。
【００２０】
図２は図１の料金収受システムにおける入口端末１２の構成を示す図である。
図２に示すように、入口端末１２は、ＣＰＵ２１、メモリ２２、非接触ＩＣカードリーダライタ２３、操作表示部２４、伝送制御部２５、通行券リーダライタ２６、Ｉ／Ｏ制御部２７、進入検知器２８、発進検知器２９、開閉棒３０などを有している。
ＣＰＵ２１は、入口端末全体の動作を制御する。メモリ２２は、プログラムやデータ類が記録されている。非接触ＩＣカードリーダライタ２３は、非接触ＩＣカードに対して入口情報の書き込み等を行う。操作表示部２４は、係員が必要な情報を入力したり、処理結果を表示する。伝送制御部２５は、センタコンピュータとオンライン接続するための伝送制御を行う。通行券リーダライタ２６は、通行券に入口情報の書き込み等を行う。Ｉ／Ｏ制御部２７は、各種周辺装置との入出力を制御する。進入検知器２８は、入口車線に流入する車両を検知する。発進検知器２９は、入口車線から退出（本線方向へ進入）する車両を検知する。開閉棒３０は、ＣＰＵ３１からＩ／Ｏ制御部３７を通じて開閉制御されることで車線から退出する車両に対して通行を制御（発進許可または通過阻止）する。
【００２１】
図３は図１の料金収受システムにおける出口端末１３の構成を示す図である。
図３に示すように、出口端末１３は、制御手段としてのＣＰＵ３１、メモリ３２、ＩＣカード読取手段としての非接触ＩＣカードリーダライタ３３、操作表示部３４、伝送制御部３５、通行券リーダライタ３６、Ｉ／Ｏ制御部３７、開閉棒３８などを有している。
ＣＰＵ３１は、出口端末全体の動作を制御する。メモリ３２は、ＣＰＵ３１に各種制御動作を行わせる制御プログラムやデータ類が記録されている。非接触ＩＣカードリーダライタ３３は、非接触ＩＣカードから入口情報を含むカード情報を読み出す一方、出口決済処理後の出口決済情報の書き込み等を行う。操作表示部３４は、係員が必要な情報を入力したり処理結果を表示する。伝送制御部３５は、センタコンピュータ１１とオンライン接続するための伝送制御を行う。通行券リーダライタ３６は、通行券から入口情報を読み取り、また出口決済情報を書き込む等を行う。Ｉ／Ｏ制御部３７は、各種周辺装置との入出力を制御する。開閉棒３８は、「開閉」により、車線から退出する車両に対して通行を制御（発進許可または通過阻止）する。
【００２２】
図４は、図１の料金収受システムにおける事務所端末１４の構成を示す図である。
図４に示すように、事務所端末１４は、ＣＰＵ４１、メモリ４２、非接触ＩＣカードリーダライタ４３、操作表示部４４、伝送制御部４５などを有している。ＣＰＵ４１は、事務所端末全体の動作を制御する。メモリ４２は、プログラムやデータ類が記録されている。非接触ＩＣカードリーダライタ４３は、非接触ＩＣカードに対して各種情報読み取り書き込みを行う。操作表示部４４は、係員が必要な情報を入力したり、処理結果を表示する。伝送制御部４５は、センタコンピュータ１１とオンライン通信するための伝送制御を行う。
【００２３】
図５は、図１の料金収受システムにおける非接触ＩＣカード再発行機１５の構成を示す図である。
図５に示すように、非接触ＩＣカード再発行機１５は、制御手段としてのＣＰＵ５１、メモリ５２、非接触ＩＣカードリーダライタ５３、入力手段としての操作表示部５４、伝送制御部５５などを有している。ＣＰＵ５１は、非接触ＩＣカード再発行機全体の動作を制御する。メモリ５２は、ＣＰＵ５１に各種制御動作を行わせる制御プログラムやデータ類が記録されている。非接触ＩＣカードリーダライタ５３は、非接触ＩＣカードに対して各種情報の読み取り、非接触ＩＣカードの再発行に関する情報の書き込み等を行う。操作表示部５４は、係員が非接触ＩＣカードの再発行に必要な情報（再発行元のカード発行番号等）を入力したり、処理結果を表示する。伝送制御部５５は、センタコンピュータ１１とオンライン通信するための伝送制御を行う。
【００２４】
ここで、図６〜図９を参照してこの料金収受システムにおける各種データについて説明する。
センタコンピュータ１１と非接触ＩＣカード再発行機１５間で交わされる主なデータは、図６に示すように、再発行要求データ６１、再発行完了データ６２、再発行情報データ６３、再発行取消データ６４などである。再発行要求データ６１は、カード再発行をするために非接触ＩＣカード再発行機１５から送信されるデータであり、元カード発行情報（カード発行番号）、再発行要求日付、再発行処理情報（処理年月日時分、料金所番号、処理管理番号）などである。再発行情報データ６２は、再発行カード情報（カード発行番号、カード発行日、カード種類）、元カード発行情報（カード発行番号、カード発行日、カード種類）などである。再発行完了データ６３は、元カード発行情報（カード発行番号、カード発行日、カード種類）、再発行処理情報（処理年月日時分、料金所番号、処理管理番号）、予備残額などである。再発行取消データ６４は、再発行カード情報（カード発行番号、カード発行日、カード種類）、元カード発行情報（カード発行番号、カード発行日、カード種類）、取消情報（処理年月日時分、料金所番号、処理管理番号）などである。なお処理年月日時分を時間情報という。
【００２５】
センタコンピュータ１１と入口端末１２・出口端末１３・事務所端末１４間で交わされるデータは、図７に示すように、残額要求データ７１、残額データ７２、残額消し込みデータ要求データ７３などである。
【００２６】
残額要求データ７１は、元カード発行情報（カード発行番号、カード発行日、カード種類）、再発行カード情報（カード発行番号、カード発行日、カード種類）、残額要求情報（処理年月日時分、料金所番号、処理管理番号）などである。残額データ７２は、元カード発行情報（カード発行番号、カード発行日、カード種類）、残額状態、カード状態、残額等の情報である。残額状態は、確定、未確定などといったフラグ情報である。カード状態は、初期状態、再発行中、再発行完了、残額引き渡し完了などといった残額の移行を管理するためデータである。残額消し込みデータ要求データ７３は、元カード発行情報（カード発行番号、カード発行日、カード種類）、再発行処理情報（処理年月日時分、料金所番号、処理管理番号）などである。
【００２７】
非接触ＩＣカードのデータは、図８に示すように、カード発行情報（カード発行番号、カード発行日、カード種類）、元カード発行情報（カード発行番号、カード発行日、カード種類）、残額状態、カード状態、残額、予備残額、入口情報（入口年月日時分、入口判定車種、入口車両番号、入口料金所番号、入口処理管理番号）、利用履歴１（入口年月日時分、入口判定車種、入口料金所番号、出口年月日時分、出口確定車種、出口料金所番号、通行料金、積み増し額、残額）、利用履歴２（入口年月日時分、入口判定車種、入口料金所番号、出口年月日時分、出口確定車種、出口料金所番号、通行料金、積み増し額、残額）、…利用履歴ｎ（入口年月日時分、入口判定車種、入口料金所番号、出口年月日時分、出口確定車種、出口料金所番号、通行料金、積み増し額、残額）などである。カード状態とは例えば初期時、再発行中、再発行完了などである。
【００２８】
図９に示すように、センタコンピュータ１１の非接触ＩＣカード管理データベースには、カード発行情報（カード発行番号、カード発行日、カード種類）、残額、再発行要求日付、カード状態、予備残額、再発行カード情報（カード発行番号、カード発行日、カード種類）、処理履歴１〜ｎなどが記憶および管理されている。処理履歴１は、カード発行情報（カード発行番号、カード発行日、カード種類）、残額、状態１（処理状態、入口ＤＢ一連番号、出口ＤＢ一連番号）、状態２（処理状態、入口ＤＢ一連番号、出口ＤＢ一連番号）…状態ｎ（処理状態、入口ＤＢ一連番号、出口ＤＢ一連番号）などである。処理履歴２は、カード発行情報（カード発行番号、カード発行日、カード種類）、残額、状態１（処理状態、入口ＤＢ一連番号、出口ＤＢ一連番号）、状態２（処理状態、入口ＤＢ一連番号、出口ＤＢ一連番号）…状態ｎ（処理状態、入口ＤＢ一連番号、出口ＤＢ一連番号）などである。処理履歴ｍは、カード発行情報（カード発行番号、カード発行日、カード種類）、残額、状態１（処理状態、入口ＤＢ一連番号、出口ＤＢ一連番号）、状態２（処理状態、入口ＤＢ一連番号、出口ＤＢ一連番号）…状態ｎ（処理状態、入口ＤＢ一連番号、出口ＤＢ一連番号）などである。カード状態とは、初期状態、再発行中、再発行完了、残額引き渡し完了などである。処理状態とは入口通過／出口のみ／完了などである。
【００２９】
以下、図１０〜図１７のフローチャートを参照してこの料金収受システムの動作を説明する。
まず、図１０のフローチャートを参照して非接触ＩＣカード再発行機１５における再発行動作を説明する。
【００３０】
入口料金所あるいは出口料金所などにおいて、非接触ＩＣカードを非接触ＩＣカードリーダライタにかけたときに、非接触ＩＣカードのデータが読み出せなくなったとき、あるいは処理したデータを書き込めないままエラー終了した場合、管理事務所などに設置された非接触ＩＣカード再発行機１５にてカードの再発行を行うことになる。
非接触ＩＣカード再発行機１５の操作表示部５４には、カードの再発行用の釦（以下再発行釦と称す）が設けられており、この再発行釦が押された場合、再発行元となるＩＣカード（以下元カードと称す）の発行番号の入力を促すメッセージと、発行番号の入力欄が表示される。メッセージは、例えば「カードの発行番号を入力してください。」などといったメッセージである。
ここで、係員が、操作表示部５４から、再発行元となるＩＣカード（以下元カードと称す）の発行番号を入力すると、ＣＰＵ５１は、入力された発行番号を受け付け（Ｓ１０１：なおＳはＳｔｅｐの略である）、予備残額を入金するか否かのメッセージを操作表示部５４に表示して、入力待ちとなる。
ここで、予備残額が入力された場合（Ｓ１０２のＹｅｓ）、ＣＰＵ５１は、入力された予備残額を「予備残額」にセットする（Ｓ１０３）。
また、予備残額入力の入力が無かった場合（Ｓ１０２のＮｏ）、ＣＰＵ５１は、メモリ５２の「予備残額」に「０」をセットする（Ｓ１０４）。
【００３１】
そして、ＣＰＵ５１は、内部の時計機能により計時されている現在の日付をメモリ５２の再発行要求データの日付にセットし（Ｓ１０５）、その再発行要求データ６１を伝送制御部５５を通じてセンタコンピュータ１１へ送信する（Ｓ１０６）。
再発行要求データ６１を送信後、センタコンピュータ１１より返信されてきた再発行情報データ６２を伝送制御部５５を通じて受信すると（Ｓ１０７）、ＣＰＵ５１は、再発行情報データ６２から得られた再発行情報と元カード情報と「予備残額」を、非接触ＩＣカードリーダライタ５３に渡し、再発行用の非接触ＩＣカード（以下新カードと称す）に書き込むと共に、新カードの「カード状態」を「再発行中」に書き換える（Ｓ１０８）。
新カードへのデータの書き込みが正常に終了すると（Ｓ１０９のＹｅｓ）、ＣＰＵ５１は、メモリ５２の再発行完了データ６３を伝送制御部５５を通じてセンタコンピュータ１１へ送信する（Ｓ１１０）。
上記Ｓ１０９の処理で書き込みが正常に終了していなかった場合（Ｓ１０９のＮｏ）、ＣＰＵ５１は、操作表示部５４に異常表示を行い（Ｓ１１１）、キャンセル釦およびリトライ釦を表示すると共に、処理を続けるか処理を中止するか否かの釦操作を促すメッセージを表示する。
ここで、リトライ釦が押下された場合（Ｓ１１２のＮｏ）、ＣＰＵ５１は、再度Ｓｅｔｐ１０８の新カードへのデータの書き込み処理から処理を繰り返す。
キャンセル釦が押下された場合（Ｓ１１２のＹｅｓ）、ＣＰＵ５１は、再発行処理の取消と判定し、再発行取消データをセンタコンピュータ１１へ送信する（Ｓ１１３）。
【００３２】
次に、図１１のフローチャートを参照して非接触ＩＣカード再発行機１５により再発行された新カードを出口端末１３にて始めて処理する動作を説明する。
発行された新カードを出口端末１３で処理するために非接触ＩＣカードリーダライタ３３に挿入すると、非接触ＩＣカードリーダライタ３３により新カードに記憶されている情報が読み取られ（Ｓ２０１）、ＣＰＵ３１に渡される。
ＣＰＵ３１は、非接触ＩＣカードリーダライタ３３から受け取った情報の中のカード状態をチェックし（Ｓ２０２）、カード状態が「再発行中」であった場合（Ｓ２０２のＹｅｓ）、残額要求データ７１を伝送制御部３５を通じてセンタコンピュータ１１へ送信する（Ｓ２０３）。
残額要求データ７１に対する返信として、センタコンピュータ１１より送信された残額データ７２を伝送制御部３５で受信すると（Ｓ２０４）、ＣＰＵ３１は、受信した「残額状態」が「確定」であるかどうかをチェックする（Ｓ２０５）。
このチェックの結果、「確定」であった場合（Ｓ２０５のＹｅｓ）、ＣＰＵ３１は、受信した残額と予備残額の合算値から料金を引き去り（Ｓ２０６）、引き去り後の新たな残額を算出し、新カードのフラッシュメモリに、引き去り後の残額とカード状態＝「再発行済み」を書き込む（Ｓ２０７）。
チェックの結果、「残額状態」が「未確定」であった場合（Ｓ２０５のＮｏ）、ＣＰＵ３１は、予備残額から料金を引き去り（Ｓ２０８）、引き去り後の新たな予備残額を算出し、新カードのフラッシュメモリに、引き去り後の予備残額を書き込む（Ｓ２０９）。
【００３３】
その後、ＣＰＵ３１は、新カードのフラッシュメモリへのデータ書き込みが正常に終了したかどうかをチェックする（Ｓ２１０）。
このチェックの結果、書き込み異常終了であった場合（Ｓ２１０のＮｏ）、通常の「非接触ＩＣカード書き込みエラー処理」を行う（Ｓ２１１）。なお「非接触ＩＣカード書き込みエラー処理」とは、例えば非接触ＩＣカードヘのデータの書き込みにエラーが発生したことのメッセージを操作表示部３４に表示して係員へ通知する処理等である。
また、上記Ｓ２０９のチェックの結果、新カードのフラッシュメモリへのデータの書き込み正常に終了し（Ｓ２１０のＹｅｓ）、受信残額状態が「確定」であった場合（Ｓ２１２のＹｅｓ）、残額消し込みデータ７３を伝送制御部３５を通じてセンタコンピュータ１１へ送信する（Ｓ２１３）。
なお、この実施形態では、出口端末１３を例に説明したが、入口端末１２では残額からの通行料金引き去りが行われないだけであり、また事務所端末１４についても残額の引き去りを行う場合には出口端末１３と同様、残額の引き去りを行わない場合には通行料金の引き去りが行われないだけで、基本的な処理は出口端末１３と同様であり、他の端末でも上記同様の処理を行える。
【００３４】
最後に、図１２〜図１７のフローチャートを参照してセンタコンピュータ１１におけるデータ受信時のＣＰＵの処理動作を説明する。
センタコンピュータ１１は一般的なサーバコンピュータであり、ＣＰＵ、メモリ、ハードディスク装置、他の端末との通信回線を介したデータ通信用の通信インターフェース装置を備えたものであり、ハードディスク装置には、非接触ＩＣカードの残額および再発行を管理するデータベースが構築されている。
入口端末１２、出口端末１３、事務所端末１４、非接触ＩＣカード再発行機１５等の各端末より通信回線１６を通じて随時受信されるデータをセンタコンピュータ１１のＣＰＵは、常にチェックし、どういったデータであるかを判定、つまりデータの種別を判定し、データの種別に応じた処理を行う。
受信されたデータが、例えば非接触ＩＣカード再発行機１５からの再発行要求データ６１であった場合（Ｓ３０１）、ＣＰＵは、再発行要求に対する処理を行う（Ｓ３０２）。
受信されたデータが、例えば非接触ＩＣカード再発行機１５からの再発行完了データ６３であった場合（Ｓ３０３）、ＣＰＵは、再発行完了データに対する処理を行う（Ｓ３０４）。
受信されたデータが、例えば非接触ＩＣカード再発行機１５からの再発行取消データ６４であった場合（Ｓ３０５）、ＣＰＵは、再発行要求に対する処理を行う（Ｓ３０６）。
受信されたデータが、例えば出口端末１３からの残額要求データ７１であった場合（Ｓ３０７）、ＣＰＵは、残額要求に対する処理を行う（Ｓ３０８）。
受信されたデータが、出口端末１３からの残額消し込み要求データ７３であった場合（Ｓ３０９）、ＣＰＵは、残額消し込み要求に対する処理を行う（Ｓ３１０）。
【００３５】
上記データ種別判定の結果、再発行要求に対する処理を行う場合（Ｓ３０２）、図１３に示すように、ＣＰＵは、受信した再発行要求データ６１の「元カード発行番号」をキーにして、非接触ＩＣカード管理データベース（図９参照）を検索し、当該カードのカード状態を「再発行中」にセットすると共に、「再発行要求日付」に受信した再発行要求日付をセットする（Ｓ４０１）。
また、ＣＰＵは、新たに発行する再発行カード（新カード）の情報を、非接触ＩＣカード管理データベースに登録し、さらに元カードの「再発行情報」にも登録する（Ｓ４０２）。その後、ＣＰＵは、再発行情報データ６２を非接触ＩＣカード再発行機１５へ送信する（Ｓ４０３）。
【００３６】
上記データ種別判定の結果、再発行完了データ６３に対する処理を行う場合（Ｓ３０４）、図１４に示すように、ＣＰＵは、受信された再発行完了データ６３の「元カード発行番号」をキーにして、非接触ＩＣカード管理データベースを検索し、元カードのデータの一つであるカード状態を「再発行完了」に更新する（Ｓ４２１）。
【００３７】
上記データ種別判定の結果、再発行取消データ６４に対する処理を行う場合（Ｓ３０６）、図１５に示すように、ＣＰＵは、受信した再発行取消データ６４の「元カード発行番号」をキーにして、非接触ＩＣカード管理データベースを検索し、当該カードのカード状態を「初期状態」、「再発行要求日付」と「再発行情報」を消去しそれぞれのデータを更新する（Ｓ４３１）。また、ＣＰＵは、新規に登録した新カードの情報も非接触ＩＣカード管理データベースから削除する（Ｓ４３２）。
【００３８】
上記データ種別判定の結果、残額要求に対する処理を行う場合（Ｓ３０８）、図１６に示すように、ＣＰＵは、受信した残額要求データ７１の「元カード発行番号」をキーにして、非接触ＩＣカード管理データベースを検索し、該当する元カードの「カード状態」と「再発行要求日付」をチェックする（Ｓ４４１）。
このチェックの結果、「カード状態」が「再発行完了」であり（Ｓ４４２のＹｅｓ）、かつ「再発行要求日付」の日締めが完了している場合（Ｓ４４３のＹｅｓ）、ＣＰＵは、当該元カードの「残額状態」を「確定」にセット（更新）する（Ｓ４４５）。
【００３９】
一方、上記Ｓ４４２及びＳ４４３のチェックの結果、カード状態が「再発行中」でなく（Ｓ４４２のＮｏ）、または「再発行要求日付」の日締めがまだの場合（Ｓ４４３のＮｏ）、ＣＰＵは、「残額状態」を「未確定」にする（Ｓ４４５）。
そして、ＣＰＵは、元カードの残額データ７２を出口端末１３へ送信する（Ｓ４４６）。
【００４０】
上記データ種別判定の結果、残額消し込み要求に対する処理を行う場合（Ｓ３１０）、図１７に示すように、ＣＰＵは、受信した残額消し込み要求データ７３の「元カード発行番号」をキーにして、非接触ＩＣカード管理データベースを検索し、該当する元カードの「カード状態」を「残額引き渡し完了」、「残額」＝０に更新する（Ｓ４５１）。
【００４１】
すなわち、有料道路の端末の非接触ＩＣカードリーダライタに非接触ＩＣカードをセットしたときに、障害等の発生で非接触ＩＣカード再発行機１５にて非接触ＩＣカードを再発行する場合に、操作表示部５４より元カードのユニークなカード発行情報が入力されると、ＣＰＵ５１は、「元カード発行情報」とこれが入力された時点の「日付」が含まれた再発行要求データ６１をセンタコンピュータ１１へ送信し、この応答としてセンタコンピュータ１１から受信した「再発行カード情報」および「元カード発行情報」を含む再発行情報データ６２と、カード状態情報として「再発行中」を新カードに記憶して、新カードへのデータの書き込みが正常に完了した場合にセンタコンピュータ１１に対して再発行完了データ６３を送信し、データの書き込みが正常に終了しなかった場合には再発行取消データ６４をセンタコンピュータ１１へ送信する。
【００４２】
出口端末１３では、非接触ＩＣカードから読み取ったデータに含まれるカード状態が「再発行中」であった場合には、センタコンピュータ１１に対して「元カード情報」及び「再発行情報」を含む残額要求データ７１を送信し、この要求に対してセンタコンピュータ１１から残額データ７２が出口端末１３に受信されると、出口端末１３は、この残額データ７２を基に決済処理を行い、更新された残額を非接触ＩＣカードに書き込むと共に、カード状態として「再発行済み」を記憶して、センタコンピュータ１１に対して残額消し込み要求データ７３を送信する。
【００４３】
センタコンピュータ１１では、非接触ＩＣカード再発行機１５から受信した再発行要求データ６１に対して、「元カード発行情報」をキーにして、管理しているＩＣカードの状態を「再発行中」に変更し、「日付」を「再発行要求日付」として設定して新カードの情報をデータベースに登録し、登録した新カードの再発行情報を含む再発行情報データ６２を非接触ＩＣカード再発行機１５へ返信する。その後、非接触ＩＣカード再発行機１５より再発行完了データ６３をセンタコンピュータ１１で受信した場合、センタコンピュータ１１は、データベースの当該カードの状態を「再発行完了」とする。非接触ＩＣカード再発行機１５より再発行取消データ６４をセンタコンピュータ１１が受信した場合、データベースの当該元カードの状態を「再発行要求データ」、受信前の状態に戻すと共に再発行状況を消去する。
また、センタコンピュータ１１では、出口端末１３より残額要求データ７１を受信した場合、データベースの当該元カードの状態が「再発行完了」であり、かつ「再発行要求日付」の日締めが終了していた場合に、出口端末１３に「元カード残額情報」を含む「残額データ」を返信し、出口端末１３より残額消し込み要求データ７３を受信した場合、データベースの当該カードのカードの残額を「０」とすると共に、カード状態を「残額引き渡し完了」する。
【００４４】
このようにこの実施形態の料金収受システムによれば、非接触ＩＣカードのフラッシュメモリに記憶されている残額を、有料道路の各端末からセンタコンピュータ１１へ送信して管理する上で、利用者から申し出があった時点で非接触ＩＣカード再発行機１５に、元カードのカード発行番号を入力すると、センタコンピュータ１１へ再発行要求データを送信し、センタコンピュータ１１では、受信された元カードのカード発行番号を基に新カードの発行情報をデータベースに登録する際に、カード状態を示す情報（再発行中等）を付加して元カードから新カードへの残額の移動タイミングを管理するので、利用者から申し出があった時点で再発行カード（新カード）を発行することができ、後日、新カードを有料道路で利用する際に、再発行した日付の日締めが行われていれば、その場で元カードの残額を新カードに引き継ぐことができる。
【００４５】
また、残額をセンタコンピュータ１１で管理する上で、利用者から申し出があった時点で再発行カードを発行することができ、次に端末で利用する際に、再発行した日付の日締めが行われていなければ、再発行時に支払った金額（予備残額）より通行料金を引き去り、最終的に元カードの残額が確定した段階で元カードの残額に引き去り後の予備残額を合算して使用することができる。
この結果、センタ側で管理しているデータの更新が「間欠的なデータ送信」や、障害発生のため遅延した場合でもその時点のＩＣカードの残額を新カードに反映して、間違えのないＩＣカードの再発行を行うことができる。
【００４６】
なお、本発明は上記実施形態のみに限定されるものではない。
上記実施形態では、非接触ＩＣカード再発行機１５という独立したハードウェア構成のものを例にして説明したが、非接触ＩＣカードの再発行機能を他の端末（入口端末１２、出口端末１３、事務所端末１４等）に載せてもよい。
また、非接触ＩＣカード再発行機１５は、非接触ＩＣカードのみを再発行するだけでなく、非接触ＩＣカードの販売、非接触ＩＣカードへの金額データのチャージ、残高照会、通行券のデータ読み取り等の機能を持つものでもよく、この場合、ＩＣカード処理機などとして機能する。
【００４７】
【発明の効果】
以上説明したように本発明によれば、センタ側に管理されているＩＣカードの残額（管理データ）の更新が遅延した場合でも再発行要求時点の残額を反映したＩＣカードの再発行を行うことができる。
【図面の簡単な説明】
【図１】本発明の一つの実施形態の料金収受システムの全体構成を示す図である。
【図２】図１の料金収受システムにおける入口端末の構成を示す図である。
【図３】図１の料金収受システムにおける出口端末の構成を示す図である。
【図４】図１の料金収受システムにおける事務所端末の構成を示す図である。
【図５】図１の料金収受システムにおける非接触ＩＣカード再発行機の構成を示す図である。
【図６】センタコンピュータと非接触ＩＣカード再発行機間で交わされるデータのデータフォーマットの一例を示す図である。
【図７】センタコンピュータと入口端末・出口端末・事務所端末間で交わされるデータのデータフォーマットの一例を示す図である。
【図８】非接触ＩＣカードの内部メモリに記憶されるデータのフォーマットを示す図である。
【図９】センタコンピュータでの非接触ＩＣカード管理に関するデータベースのフォーマットを示す図である。
【図１０】非接触ＩＣカード再発行機の動作を示すフローチャートである。
【図１１】出口端末の処理を示すフローチャートである。
【図１２】センタコンピュータの処理を示すフローチャートである。
【図１３】センタコンピュータにおいて、再発行要求データを受信したときの処理を示すフローチャート。
【図１４】センタコンピュータにおいて、再発行完了データを受信したときの処理を示すフローチャート。
【図１５】センタコンピュータにおいて、再発行取消データを受信したときの処理を示すフローチャート。
【図１６】センタコンピュータにおいて、残額要求データを受信したときの処理を示すフローチャート。
【図１７】センタコンピュータにおいて、残額消し込み要求データを受信したときの処理を示すフローチャート。
【符号の説明】
１１‥センタコンピュータ、１２‥入口端末、１３‥出口端末、１４‥事務所端末、１５‥非接触ＩＣカード再発行機、１３‥出口端末、３１，５１‥ＣＰＵ、３２，５２‥メモリ、３３，５３‥非接触ＩＣカードリーダライタ、３４，５４‥操作表示部、３５，５５‥伝送制御部、３６‥通行券リーダライタ、３７‥Ｉ／Ｏ制御部、３８‥開閉棒、６１‥再発行要求データ、６２‥再発行情報データ、６３‥再発行完了データ、６４‥再発行取消データ。
【図１】
2004355132.tif 000003
【図２】
2004355132.tif 000004
【図３】
2004355132.tif 000005
【図４】
2004355132.tif 000006
【図５】
2004355132.tif 000007
【図６】
2004355132.tif 000008
【図７】
2004355132.tif 000009
【図８】
2004355132.tif 000010
【図９】
2004355132.tif 000011
【図１０】
2004355132.tif 000012
【図１１】
2004355132.tif 000013
【図１２】
2004355132.tif 000014
【図１３】
2004355132.tif 000015
【図１４】
2004355132.tif 000016
【図１５】
2004355132.tif 000017
【図１６】
2004355132.tif 000018
【図１７】
2004355132.tif 000019